(57)【要約】ディジタル・フィルム・レコーダが、カメラなどのフィルム記録装置と、表示装置と、トラックとを備える。フィルム記録装置は記録入力を有する。表示装置はフラットパネル表示装置を備える。トラックは、フィルム記録装置と表示装置に結合されている。トラックは、フラットパネル表示装置を記録入力に整合させ、それによりフィルム記録装置がフラットパネル表示装置上に表示された画像を記録媒体に記録できるようにする。
2005529353.tif 000002
【特許請求の範囲】
【請求項１】
記録入力を有するフィルム記録装置と、
フラットパネル表示装置を有する表示装置と、
前記フィルム記録装置と前記表示装置に結合されたトラックとを備えるディジタル・フィルム・レコーダであって、前記トラックは、前記フラットパネル表示装置を前記記録入力に整合させ、それにより前記フィルム記録装置が前記フラットパネル表示装置上に表示された画像を記録媒体に記録できるようにする、ディジタル・フィルム・レコーダ。
【請求項２】
前記表示装置は薄膜トランジスタ（ＴＦＴ）フラットパネル液晶表示装置（ＬＣＤ）を備える請求項１に記載のディジタル・フィルム・レコーダ。
【請求項３】
前記トラックは、前記フィルム記録装置から前記表示装置までの距離を調節するように構成された距離調節ユニットを備える請求項１に記載のディジタル・フィルム・レコーダ。
【請求項４】
前記表示装置を前記トラックに結合するＸＹＺジンバルをさらに備え、前記ＸＹＺジンバルは前記フラットパネル表示装置の配向を前記記録入力に対して微調整するように構成された請求項１に記載のディジタル・フィルム・レコーダ。
【請求項５】
前記フィルム記録装置は、すべてのフィルム・ベース・タイプの各アスペクト比とフォーマット用の１６、３５、または７０ｍｍカメラを備える請求項１に記載のディジタル・フィルム・レコーダ。
【請求項６】
前記調節ユニットと前記フィルム記録装置に結合され、前記記録媒体に記録されている前記画像の解像度を修正するために、前記調節ユニットを制御して前記フィルム記録装置から前記表示装置までの距離を調節するように構成された制御ユニットをさらに備える請求項３に記載のディジタル・フィルム・レコーダ。
【請求項７】
前記フィルム記録装置は１６、３５、または７０ｍｍカメラを備え、前記制御ユニットは、前記フィルム記録装置から前記表示装置までの前記距離に基づいて前記カメラのレンズの焦点距離を調節するように構成された請求項６に記載のディジタル・フィルム・レコーダ。
【請求項８】
前記フィルム記録装置は前記表示装置に対してＺ方向に配向されて、仰角撮影機式または俯瞰撮影機式のレコーダを形成する請求項１に記載のディジタル・フィルム・レコーダ。
【請求項９】
前記フラットパネルＬＣＤの平面度を調節するための平面度調節手段をさらに備える請求項２に記載のディジタル・フィルム・レコーダ。
【請求項１０】
前記フラットパネルＬＣＤは、
前記フラットパネルＬＣＤ上に表示された前記画像の輝度を調節するため、ならびに前記フラットパネルＬＣＤの全色域と露出特性出力を増大させるためのＬＥＤバックライトを備える請求項２に記載のディジタル・フィルム・レコーダ。
【請求項１１】
ＲＧＢまたはＣＭＹフォーマットを有するフィルタ・ホイールをさらに備え、前記フィルタ・ホイールは、前記フィルム記録装置のレンズと前記表示装置との間に配置され、前記フラットパネルＬＣＤ上に表示された前記画像をＲＧＢまたはＣＭＹフォーマットの別々の色で記録できるように回転可能である請求項２に記載のディジタル・フィルム・レコーダ。
【請求項１２】
ＲＧＢまたはＣＭＹフォーマットを有するフィルタ・ホイールをさらに備え、前記フィルタ・ホイールは、前記フィルム記録装置のレンズと前記記録装置のフィルム面との間に配置され、前記フラットパネルＬＣＤ上に表示された前記画像をＲＧＢまたはＣＭＹフォーマットの別々の色で記録できるように回転可能であるかまたは線形である請求項２に記載のディジタル・フィルム・レコーダ。
【請求項１３】
前記フィルタ・ホイールを位置決めする、前記フィルタ・ホイールに結合されたナノモータと、前記ナノモータを制御するコントローラとをさらに備える請求項１２に記載のディジタル・フィルム・レコーダ。
【請求項１４】
前記フィルタ・ホイールに結合され、前記フィルタ・ホイールを位置決めすることによって前記フィルタ・ホイールを制御するように構成されたフィルタ・ホイール調節ユニットと、
前記フィルム記録装置と前記フィルタ・ホイール調節ユニットに結合され、前記表示装置上に表示されている画像が別々の色で記録されるよう前記フィルタ・ホイールを位置決めするように構成されたとともに、前記フィルタ・ホイールが単一の画像露出に向けて完全に位置決めされた後にのみフィルムを進めるよう前記フィルム記録装置を制御するように構成された制御ユニットとをさらに備える請求項１１に記載のディジタル・フィルム・レコーダ。
【請求項１５】
前記制御ユニットはさらに、前記表示装置に結合され、前記フラットパネル表示装置上に表示されている前記画像を制御するように構成された請求項６に記載のディジタル・フィルム・レコーダ。
【請求項１６】
前記制御ユニットは、前記画像をＲＧＢまたはＣＭＹフォーマットの別々の色で表示するように構成されたとともに、ＲＧＢまたはＣＭＹフォーマットによる前記画像の各画像ごとに露出を完了するよう前記フィルム記録装置中のフィルム送りを制御するように構成された請求項１５に記載のディジタル・フィルム・レコーダ。
【請求項１７】
画像をフィルムに記録する方法であって、
フラットパネル表示装置とフィルム記録装置を準備するステップと、
前記フラットパネル表示装置の表示領域を前記フィルム記録装置の記録入力に整合させるステップと、
所定時間にわたって前記フラットパネル表示装置上に画像を表示するステップと、
前記時間にわたって前記フィルム記録装置のフィルム・フレームを赤、緑、青について別々に前記画像に露出させるステップとを含む方法。
【請求項１８】
前記フラットパネル表示装置から前記フィルム記録装置までの距離と前記表示領域のサイズとに基づいて、前記フィルム記録装置のレンズの焦点距離を調節するステップをさらに含む請求項１７に記載の方法。
【請求項１９】
前記フラットパネル表示装置から前記フィルム記録装置までの距離を調節しながら前記フィルム記録装置のレンズの焦点距離を調節することによって、記録画像の解像度を調節するステップをさらに含む請求項１７に記載の方法。
【請求項２０】
前記フラットパネル表示装置上に表示されている前記画像の露出を調節するステップをさらに含む請求項１７に記載の方法。
【請求項２１】
前記フラットパネル表示装置の配向を前記フィルム記録装置の前記入力に対してＸＹＺ平面で調節するステップをさらに含む請求項１７に記載の方法。
【請求項２２】
記録入力を有するフィルム記録装置と、
フラットパネル表示装置をそれぞれが有する複数の表示装置と、
ビーム・スプリッタと、
前記フィルム記録装置と前記複数の表示装置と前記ビーム・スプリッタとに結合されたトラックとを備えるディジタル・フィルム・レコーダであって、前記トラックは、前記複数のフラットパネル表示装置のそれぞれを前記ビーム・スプリッタに整合させ、前記複数のフラットパネル表示装置のそれぞれに表示された画像を、前記フィルム記録装置によって記録媒体に記録される単一の画像に統合する、ディジタル・フィルム・レコーダ。
【請求項２３】
前記各表示装置は、フラットパネル液晶表示装置（ＬＣＤ）を備え、異なる色で画像を表示するように構成された請求項２２に記載のディジタル・フィルム・レコーダ。
【請求項２４】
前記複数の表示装置は３つの表示装置を含み、第１の表示装置は画像を赤色で表示し、第２の表示装置は画像を緑色で表示し、第３の表示装置は画像を青色で表示し、それにより各表示からの重なったピクセルが、記録されているカラー・シーケンスでの単一の色として使用される請求項２３に記載のディジタル・フィルム・レコーダ。
【請求項２５】
前記複数の表示装置は３つの表示装置を含み、第１の表示装置は画像をシアン色で表示し、第２の表示装置は画像をマゼンタ色で表示し、第３の表示装置は画像をイエロー色で表示し、それにより各表示からの重なったピクセルが、記録されているカラー・シーケンスでの単一の色として使用される請求項２３に記載のディジタル・フィルム・レコーダ。
【請求項２６】
前記第１の表示装置は波長６５０ｎｍのＬＥＤバックライトで背面照明され、前記第２の表示装置は波長５５０ｎｍのＬＥＤバックライトで背面照明され、前記第３の表示装置は波長４５０ｎｍのＬＥＤバックライトで背面照明される請求項２４に記載のディジタル・フィルム・レコーダ。
【請求項２７】
前記第１の表示装置は波長６３３ｎｍのバンドパス・フィルタによる冷陰極バックライトで背面照明され、前記第２の表示装置は波長５３２ｎｍのバンドパス・フィルタによる冷陰極バックライトで背面照明され、前記第３の表示装置は波長４６０ｎｍのバンドパス・フィルタによる冷陰極バックライトで背面照明される請求項２４に記載のディジタル・フィルム・レコーダ。
【請求項２８】
前記トラックは、前記フィルム記録装置から前記複数の表示装置までの距離を調節するように構成された距離調節ユニットを備える請求項２３に記載のディジタル・フィルム・レコーダ。
【請求項２９】
複数のＸＹＺジンバルをさらに備え、それぞれは前記表示装置の１つを前記トラックに結合し、前記各ＸＹＺマウントは前記各フラットパネル表示装置の配向を前記ビーム・スプリッタに対して微調整するように構成された請求項２４に記載のディジタル・フィルム・レコーダ。
【請求項３０】
前記フィルム記録装置は、すべてのフィルム・ベース・タイプの各アスペクト比とフォーマット用の１６、３５、または７０ｍｍカメラを備える請求項２３に記載のディジタル・フィルム・レコーダ。
【請求項３１】
前記距離調節ユニットと前記フィルム記録装置に結合され、前記記録媒体に記録されている前記画像の解像度を修正するために、前記距離調節ユニットを制御して前記フィルム記録装置から前記複数の表示装置までの距離を調節するように構成された制御ユニットをさらに備える請求項２８に記載のディジタル・フィルム・レコーダ。
【請求項３２】
前記フィルム記録装置は１６、３５、または７０ｍｍカメラを備え、前記制御ユニットは、前記フィルム記録装置から前記複数の表示装置までの前記距離に基づいて前記カメラのレンズの焦点距離を調節するように構成された請求項３１に記載のディジタル・フィルム・レコーダ。
【請求項３３】
前記フィルム記録装置は前記複数の表示装置に対してＺ方向に配向されて、仰角撮影機式または俯瞰撮影機式のレコーダを形成する請求項３２に記載のディジタル・フィルム・レコーダ。
【請求項３４】
前記複数の表示装置のそれぞれはさらに、
前記フラットパネルＬＣＤを背面照明して、前記フラットパネルＬＣＤ上に表示された前記画像の輝度を調節し、それにより前記フラットパネルＬＣＤの全色域出力を増大させるためのＬＥＤ照明ユニットを備える請求項２３に記載のディジタル・フィルム・レコーダ。
【請求項３５】
ＲＧＢまたはＣＭＹフォーマットを有するフィルタ・ホイールをさらに備え、前記フィルタ・ホイールは、前記フィルム記録装置のレンズと前記複数の表示装置との間に配置され、前記フラットパネルＬＣＤ上に表示された前記画像をＲＧＢまたはＣＭＹフォーマットの別々の色で記録できるように位置決めされる請求項２３に記載のディジタル・フィルム・レコーダ。
【請求項３６】
ＲＧＢまたはＣＭＹフォーマットを有するフィルタ・ホイールをさらに備え、前記フィルタ・ホイールは、前記フィルム記録装置のレンズと前記記録装置のフィルム面との間に配置され、前記フラットパネルＬＣＤ上に表示された前記画像をＲＧＢまたはＣＭＹフォーマットの別々の色で記録できるように回転可能である請求項２３に記載のディジタル・フィルム・レコーダ。
【請求項３７】
前記フィルタ・ホイールを位置決めする、前記フィルタ・ホイールに結合されたナノモータと、前記ナノモータを制御するコントローラとをさらに備える請求３６に記載のディジタル・フィルム・レコーダ。
【請求項３８】
前記フィルタ・ホイールに結合され、前記フィルタ・ホイールを位置決めすることによって前記フィルタ・ホイールを制御するように構成されたフィルタ・ホイール調節ユニットと、
前記フィルム記録装置と前記フィルタ・ホイール調節ユニットに結合され、前記複数の表示装置上に表示されている画像が別々の色で記録されるよう前記フィルタ・ホイールを回転させるように構成されるとともに、前記フィルタ・ホイールが単一の画像露出に向けて完全に回転された後にのみフィルムを進めるよう前記フィルム記録装置を制御するように構成された制御ユニットとをさらに備える請求項３５に記載のディジタル・フィルム・レコーダ。
【請求項３９】
前記制御ユニットはさらに、前記表示装置に結合され、前記複数の表示装置上に表示されている前記画像を制御するように構成された請求項３１に記載のディジタル・フィルム・レコーダ。
【請求項４０】
前記制御ユニットは、前記画像をＲＧＢまたはＣＭＹフォーマットの別々の色で表示するように構成され、別々の色の各画像は前記複数の表示装置の別々の表示装置上に表示され、前記制御ユニットはさらに、ＲＧＢまたはＣＭＹフォーマットによる前記画像の各画像ごとに露出を完了するよう前記フィルム記録装置中のフィルム送りを制御するように構成された請求項３９に記載のディジタル・フィルム・レコーダ。
【請求項４１】
画像をフィルムに記録する方法であって、
３つのフラットパネル表示装置、ビーム・スプリッタ、フィルム記録装置を準備するステップと、
前記各フラットパネル表示装置の表示領域を前記ビーム・スプリッタに整合させるステップと、
前記各フラットパネル表示装置の結合画像を有する前記ビーム・スプリッタの出力を、前記フィルム記録装置の記録入力に整合させるステップと、
所定時間にわたって前記各フラットパネル表示装置上に画像を表示するステップと、
前記時間にわたって前記フィルム記録装置のフィルム・フレームを前記ビーム・スプリッタの結合画像出力に露出させるステップとを含む方法。
【請求項４２】
前記ビーム・スプリッタから前記フィルム記録装置までの距離と各フラットパネル表示装置の表示領域のサイズとに基づいて、前記フィルム記録装置のレンズの焦点距離を調節するステップをさらに含む請求項４１に記載の方法。
【請求項４３】
前記ビーム・スプリッタから前記フィルム記録装置までの距離を調節しながら前記フィルム記録装置のレンズの焦点距離を調節することによって、記録画像の解像度を調節するステップをさらに含む請求項４１に記載の方法。
【請求項４４】
前記各フラットパネル表示装置上に表示されている前記画像の輝度を調節するステップをさらに含む請求項４３に記載の方法。
【請求項４５】
前記各フラットパネル表示装置の平面度を調節するステップをさらに含む請求項４１に記載の方法。
【請求項４６】
前記各フラットパネル表示装置の配向を前記ビーム・スプリッタに対してＸＹＺ平面で微調整するステップをさらに含む請求項４５に記載の方法。
【請求項４７】
前記各フラットパネル表示装置上に単一の画像を表示するステップをさらに含み、前記画像は前記各フラットパネル表示装置上に別々の色で表示され、第１の表示装置では赤色、第２の表示装置では青色、第３の表示装置では緑色である請求項４１に記載の方法。
【請求項４８】
前記各フラットパネル表示装置上に単一の画像を表示するステップをさらに含み、前記画像は前記各フラットパネル表示装置上に別々の色で表示され、第１の表示装置ではシアン色、第２の表示装置ではマゼンタ色、第３の表示装置ではイエロー色である請求項４１に記載の方法。
【請求項４９】
ピーク波長６５０ｎｍを生み出すＬＥＤバックライトで前記第１の表示装置を背面照明するステップと、
ピーク波長５５０ｎｍを生み出すＬＥＤバックライトで前記第２の表示装置を背面照明するステップと、
ピーク波長４５０ｎｍを生み出すＬＥＤバックライトで前記第３の表示装置を背面照明するステップとをさらに含む請求項４７に記載のディジタル・フィルム・レコーダ。
【請求項５０】
ピーク波長６３０ｎｍを生み出すＬＥＤバックライトで前記第１の表示装置を背面照明するステップと、
ピーク波長５３０ｎｍを生み出すＬＥＤバックライトで前記第２の表示装置を背面照明するステップと、
ピーク波長４４５ｎｍを生み出すＬＥＤバックライトで前記第３の表示装置を背面照明するステップとをさらに含む請求項４７に記載のディジタル・フィルム・レコーダ。
【請求項５１】
画像をフィルムに記録するためのフィルム記録手段と、
表示手段と、
前記表示を整合させるためのトラック手段とを備えるディジタル・フィルム・レコーダ。
【請求項５２】
前記表示手段は（ＴＦＴ）薄膜トランジスタ・フラットパネル液晶表示装置（ＬＣＤ）を備える請求項５１に記載のディジタル・フィルム・レコーダ。
【請求項５３】
前記表示手段は、ＬＥＤバックライト付き（ＴＦＴ）薄膜トランジスタ・フラットパネル液晶表示（ＬＣＤ）表示装置を備える請求項５１に記載のディジタル・フィルム・レコーダ。
【請求項５４】
前記トラック手段は、前記フィルム記録手段から前記表示までの距離を調節するための距離調節手段を備える請求項５１に記載のディジタル・フィルム・レコーダ。
【請求項５５】
前記表示手段を前記トラック手段に結合するため、ならびに前記表示手段の配向を前記フィルム記録手段に対して微調整するためのＸＹＺ調節手段をさらに備える請求項５１に記載のディジタル・フィルム・レコーダ。
【請求項５６】
前記フィルム記録手段は、すべてのフィルム・ベース・タイプの各アスペクト比とフォーマット用の１６、３５、または７０ｍｍカメラを備える請求項５１に記載のディジタル・フィルム・レコーダ。
【請求項５７】
前記フィルム記録手段によって記録されている画像の解像度を修正するために、前記距離調節手段を制御して前記フィルム記録手段から前記表示手段までの距離を調節する制御手段をさらに備える請求項５１に記載のディジタル・フィルム・レコーダ。
【請求項５８】
前記表示手段の平面度を調節するための平面度調節手段をさらに備える請求項５２に記載のディジタル・フィルム・レコーダ。
【請求項５９】
前記表示手段を背面照明して、前記表示手段上に表示された画像の輝度を調節し、それにより前記表示手段の全色域と明暗度出力を増大させるための照明手段をさらに備える請求項５２に記載のディジタル・フィルム・レコーダ。
【請求項６０】
ＲＧＢまたはＣＭＹフォーマットを有する色フィルタ手段をさらに備え、前記色フィルタ手段は、前記フィルム記録手段のレンズと前記表示手段との間に配置されて、前記表示装置上に表示された画像をＲＧＢまたはＣＭＹフォーマットの別々の色にする請求項５２に記載のディジタル・フィルム・レコーダ。
【請求項６１】
前記色フィルタ手段を制御するための色フィルタ調節手段と、
前記表示手段、前記記録手段、と前記色フィルタ調節手段を制御して、前記表示手段上に表示されている画像を露出に向けて別々の色で記録するための制御手段とをさらに備える請求項６０に記載のディジタル・フィルム・レコーダ。
【請求項６２】
前記制御手段はまた、前記表示手段上に表示された画像を制御してＲＧＢまたはＣＭＹフォーマットの別々の色で表示されるようにするものであり、かつ、前記フィルム記録を制御して、ＲＧＢまたはＣＭＹフォーマットによる前記画像の各画像ごとに露出を完了するよう前記フィルム記録装置のフィルム送りを制御するものである請求項５７に記載のディジタル・フィルム・レコーダ。
【請求項６３】
画像をフィルムに記録するためのフィルム記録手段と、
ディジタル画像を表示するための複数の表示手段と、
前記複数の表示手段上に表示された画像を単一の画像に結合するためのビーム・スプリッタ手段と、
前記複数の表示手段のそれぞれを前記ビーム・スプリッタ手段と前記フィルム記録手段に整合させるためのトラック手段とを備えるディジタル・フィルム・レコーダ。
【請求項６４】
前記各表示手段は、画像を異なる色で表示するためのフラットパネル液晶表示（ＬＣＤ）表示装置を備える請求項６３に記載のディジタル・フィルム・レコーダ。
【請求項６５】
前記複数の表示手段は３つの表示装置を含み、第１の表示手段は画像を赤色で表示し、第２の表示手段は画像を青色で表示し、第３の表示手段は画像を緑色で表示する請求項６４に記載のディジタル・フィルム・レコーダ。
【請求項６６】
前記複数の表示手段は３つの表示装置を含み、第１の表示手段は画像をシアン色で表示し、第２の表示手段は画像をマゼンタ色で表示し、第３の表示手段は画像をイエロー色で表示する請求項６４に記載のディジタル・フィルム・レコーダ。
【請求項６７】
前記第１の表示手段はピーク波長６５０ｎｍの赤色を生み出すためのバックライト手段を備え、前記第２の表示手段はピーク波長５５０ｎｍの青色を生み出すためのバックライト手段を備え、前記第３の表示手段はピーク波長４５０ｎｍの緑色を生み出すためのバックライト手段を備える請求項６４に記載のディジタル・フィルム・レコーダ。
【請求項６８】
前記第１の表示手段はピーク波長６３０ｎｍの赤色を生み出すためのバックライト手段を備え、前記第２の表示手段はピーク波長５３０ｎｍの青色を生み出すためのバックライト手段を備え、前記第３の表示手段はピーク波長４４５ｎｍの緑色を生み出すためのバックライト手段を備える請求項６４に記載のディジタル・フィルム・レコーダ。
【請求項６９】
前記トラック手段は、前記フィルム記録手段から前記複数の表示手段までの距離を調節するための距離調節手段を備える請求項６４に記載のディジタル・フィルム・レコーダ。
【請求項７０】
複数のＸＹＺ調節手段をさらに備え、それぞれは前記各表示手段の配向を前記ビーム・スプリッタ手段に対して微調整する請求項６９に記載のディジタル・フィルム・レコーダ。
【請求項７１】
前記記録手段によって記録されている画像の解像度を修正するために、前記距離調節手段と前記フィルム記録手段を制御して前記フィルム記録手段から前記複数の表示手段までの距離を調節するための制御手段をさらに備える請求項５６に記載のディジタル・フィルム・レコーダ。
【請求項７２】
複数の平面度調節手段をさらに備え、それぞれは前記複数の表示手段のうちの１つの平面度を調節する請求項６６に記載のディジタル・フィルム・レコーダ。
【請求項７３】
前記複数の表示手段それぞれを背面照明して、前記複数の表示手段それぞれの全色域出力を増大させるための複数のＬＥＤ背面照明手段をさらに備える請求項６６に記載のディジタル・フィルム・レコーダ。
【請求項７４】
前記制御手段はまた、前記複数の表示手段上に表示されている画像を制御するものである請求項７１に記載のディジタル・フィルム・レコーダ。
【請求項７５】
前記制御は、前記画像をＲＧＢまたはＣＭＹフォーマットの別々の色で表示するよう前記複数の表示手段を制御し、別々の色の各画像は前記複数の表示装置の別々の表示上に表示され、前記制御手段はさらに、ＲＧＢまたはＣＭＹフォーマットによる前記画像の各画像ごとに露出を完了するよう前記フィルム記録手段中のフィルム送りを制御する請求項７４に記載のディジタル・フィルム・レコーダ。
【請求項７６】
ビデオをフィルムに記録する方法であって、
フラットパネル表示装置とフィルム記録装置を準備するステップと、
前記フラットパネル表示装置の表示領域を前記フィルム記録装置の記録入力に整合させるステップと、
ビデオ・データのストリームを受け取るステップと、
所定時間にわたって前記ストリームからの静止画像を前記フラットパネル表示装置上に表示するステップと、
前記時間にわたって前記フィルム記録装置のフィルム・フレームを前記画像に露出させるステップとを含む方法。
【請求項７７】
前記フラットパネル表示装置から前記フィルム記録装置までの距離と前記表示領域のサイズとに基づいて、前記フィルム記録装置のレンズの焦点距離を調節するステップをさらに含む請求項７６に記載の方法。
【請求項７８】
前記フラットパネル表示装置から前記フィルム記録装置までの距離を調節しながら前記フィルム記録装置のレンズの焦点距離を調節することによって、記録画像の解像度を調節するステップをさらに含む請求項７６に記載の方法。
【請求項７９】
前記フラットパネル表示装置上に表示されている前記画像の露出を調節するステップをさらに含む請求項７６に記載の方法。
【請求項８０】
前記フラットパネル表示装置の配向を前記フィルム記録装置の前記入力に対してＸＹＺ平面で調節するステップをさらに含む請求項７６に記載の方法。
【請求項８１】
前記静止画像を表示するステップは、前記ストリームを所定時点で停止して、表示される静止画像を前記ストリームから抽出することを含む請求項７６に記載の方法。
【請求項８２】
前記ビデオ・ストリームが繰り返し開始と停止されて、前記フラットパネル表示装置上に表示すべき一連の静止画像が抽出されてフィルムに記録され、それにより前記ビデオ・ストリームが完全にフィルムに転写される請求項８１に記載の方法。
【請求項８３】
前記ビデオ・ストリームは、ＮＴＳＣＤＶ、７２０ｐ、１９２０×１０８０ｉ、１９２０×１０８０ｐからなるグループから選択されたフォーマットである請求項８２に記載の方法。
【請求項８４】
前記制御ユニットはさらに、ビデオ・データのストリームを受け取り、前記ストリームを停止と開始して、前記フラットパネル表示装置上に表示すべき静止画像を生み出すように構成された請求項１５に記載のシステム。
【請求項８５】
前記制御ユニットはさらに、フレームを表すディジタル・データを受け取り、前記フレームを前記フラットパネル表示装置上に表示するように構成された請求項１６に記載のシステム。
【請求項８６】
ビデオ・フィルムを転写する方法であって、
ディジタル・ビデオ・レコーダを使用してビデオ記録を生み出すステップと、
前記ビデオ記録を請求項８５に記載のフィルム・レコーダに転送するステップと、
前記フィルム・レコーダを制御することによって前記ビデオ記録をフィルムに記録するステップとを含む方法。
【請求項８７】
画像をフィルムに記録する方法であって、
フラットパネル表示装置とフィルム記録装置を準備するステップと、
前記フラットパネル表示装置の表示領域を前記フィルム記録装置の記録入力に整合させるステップと、
前記フラットパネル表示装置上に画像を表示するステップと、
前記フィルム記録装置のシャッタを制御して、前記フィルム記録装置のフィルム・フレームを所定時間にわたって前記画像に露出させるステップとを含む方法。
【請求項８８】
前記フラットパネル表示装置から前記フィルム記録装置までの距離と前記表示領域のサイズとに基づいて、前記フィルム記録装置のレンズの焦点距離を調節するステップをさらに含む請求項８７に記載の方法。
【請求項８９】
前記フラットパネル表示装置から前記フィルム記録装置までの距離を調節しながら前記フィルム記録装置のレンズの焦点距離を調節することによって、記録画像の解像度を調節するステップをさらに含む請求項８７に記載の方法。
【請求項９０】
前記フラットパネル表示装置上に表示されている前記画像の露出を調節するステップをさらに含む請求項８７に記載の方法。
【請求項９１】
前記フラットパネル表示装置の配向を前記フィルム記録装置の前記入力に対してＸＹＺ平面で調節するステップをさらに含む請求項８７に記載の方法。
【請求項９２】
前記画像はＲＧＢフォーマットで表示され、前記表示装置は、赤についてはピーク波長６５０ｎｍを生み出し、緑についてはピーク波長５５０ｎｍのＬＥＤバックライトを生み出し、青についてはピーク波長４５０ｎｍのＬＥＤバックライトを生み出すように構成された請求項１６に記載のディジタル・フィルム・レコーダ。
【請求項９３】
前記画像はＲＧＢフォーマットで表示され、前記表示装置は、赤についてはピーク波長６３０ｎｍを生み出し、青についてはピーク波長５３０ｎｍのＬＥＤバックライトを生み出し、青についてはピーク波長４４５ｎｍのＬＥＤバックライトを生み出すように構成された請求項１６に記載のディジタル・フィルム・レコーダ。
【請求項９４】
前記各表示装置はさらに、前記各バックライトを冷却するための冷却ユニットを備える請求項２７に記載のディジタル・フィルム・レコーダ。
【請求項９５】
各冷却ユニットは空冷と液冷手段を備える請求項９４に記載のディジタル・フィルム・レコーダ。
【請求項９６】
前記表示装置はさらに、前記バックライトを冷却するための冷却ユニットを備える請求項９２に記載のディジタル・フィルム・レコーダ。
【請求項９７】
前記冷却ユニットは空冷と液冷手段を備える請求項９６に記載のディジタル・フィルム・レコーダ。
【請求項９８】
前記表示手段は、ＬＥＤバックライト付き（ＴＦＴ）薄膜トランジスタ・フラットパネル液晶表示（ＬＣＤ）表示装置を備える請求項５１に記載のディジタル・フィルム・レコーダ。
【請求項９９】
前記表示装置は有機発光ダイオード（ＯＬＥＤ）パネルを備える請求項１に記載のディジタル・フィルム・レコーダ。
【請求項１００】
前記各表示装置は有機発光ダイオード（ＯＬＥＤ）パネルを備える請求項２２に記載のディジタル・フィルム・レコーダ。
【請求項１０１】
前記表示手段は有機発光ダイオード（ＯＬＥＤ）パネルを備える請求項５１に記載のディジタル・フィルム・レコーダ。
【請求項１０２】
前記各表示装置は有機発光ダイオード（ＯＬＥＤ）パネルを備える請求項６３に記載のディジタル・フィルム・レコーダ。
【請求項１０３】
前記フラットパネルＬＣＤは前記画像を白黒フォーマットで表示するように構成され、前記ＬＥＤバックライトによって前記画像に色が提供される請求項１０に記載のディジタル・フィルム・レコーダ。
【請求項１０４】
前記ＬＥＤバックライトは赤、緑、青のＬＥＤを備える請求項１０に記載のディジタル・フィルム・レコーダ。
【請求項１０５】
前記フラットパネルＬＣＤ表示装置はさらに、光ファイバ・ケーブルを介して前記ＬＥＤバックライトに結合された光ガイドを備え、前記光ガイドは、前記ＬＥＤバックライトから前記フラットパネルＬＣＤのＬＣＤ表示セクションに光を均等に送達する請求項１０に記載のディジタル・フィルム・レコーダ。
【請求項１０６】
ＲＧＢまたはＣＭＹフォーマットを有する色フィルタをさらに備え、前記色フィルタは、前記フラットパネルＬＣＤのバックライトと前記フラットパネルＬＣＤの表示セクションとの間に配置され、それにより、前記フラットパネルＬＣＤ上に表示された前記画像はＲＧＢまたはＣＭＹフォーマットの別々の色で記録することができる請求項２に記載のディジタル・フィルム・レコーダ。
【請求項１０７】
各フラットパネルＬＣＤはさらに、ＲＧＢまたはＣＭＹフォーマットを有する色フィルタを備え、前記色フィルタは、前記各フラットパネルＬＣＤのバックライトと前記フラットパネルＬＣＤの表示セクションとの間に配置され、それにより、前記フラットパネルＬＣＤ上に表示された前記画像はＲＧＢまたはＣＭＹフォーマットの別々の色で記録することができる請求項２３に記載のディジタル・フィルム・レコーダ。
【請求項１０８】
前記各フラットパネル表示装置上に表示されている前記画像の輝度を調節するステップは、前記各フラットパネル表示装置にＬＥＤバックライトを準備するステップを含む請求項４４に記載の方法。
【請求項１０９】
前記各表示装置上に前記画像を表示するステップは、各画像をＲＧＢフォーマットで表示することを含み、前記各表示装置は前記画像をそれぞれ異なる色で表示する請求項４１に記載の方法。
【請求項１１０】
各画像をＲＧＢフォーマットで表示するために、前記各表示装置中で、前記各表示装置のバックライトと前記各表示装置の表示セクションとの間に色フィルタを準備するステップをさらに含む請求項１０９に記載の方法。
【請求項１１１】
前記各表示装置中で、前記各表示装置のバックライトと前記各表示装置の表示セクションとの間に色フィルタを準備するステップをさらに含む請求項４８または４９に記載の方法。
【請求項１１２】
前記ビーム・スプリッタと前記フィルム記録装置との間に色フィルタ・ホイールを準備するステップと、
前記各画像を白黒フォーマットで表示するステップと、
前記色フィルタ・ホイールを調節して前記各画像をＲＧＢまたはＣＭＹフォーマットで記録するステップとをさらに含む請求項４１に記載の方法。
【請求項１１３】
前記色フィルタ・ホイールは前記フィルム記録装置のレンズと前記フィルム記録装置中のフィルムとの間に提供される請求項１１２に記載の方法。
【請求項１１４】
前記色フィルタ・ホイールは前記各表示装置の光ガイドと前記各表示セクションとの間にそれぞれ提供される請求項１１１に記載の方法。
【請求項１１５】
ＲＧＢまたはＣＭＹフォーマットを有する色フィルタをさらに備え、前記色フィルタは、前記フラットパネルＬＣＤのバックライトと前記フラットパネルＬＣＤの表示セクションとの間に配置され、それにより、前記フラットパネルＬＣＤ上に表示された画像はＲＧＢまたはＣＭＹフォーマットの別々の色で記録することができる請求項５２または５３に記載のディジタル・フィルム・レコーダ。
【請求項１１６】
前記ＬＥＤバックライトは赤、緑、青のＬＥＤを備える請求項５２に記載のディジタル・フィルム・レコーダ。
【請求項１１７】
前記フラットパネルＬＣＤ表示装置はさらに、光ファイバ・ケーブルを介して前記ＬＥＤバックライトに結合された光ガイドを備え、前記光ガイドは、前記ＬＥＤバックライトから前記フラットパネルＬＣＤのＬＣＤ表示セクションに光を均等に送達する請求項５２または１１６に記載のディジタル・フィルム・レコーダ。
【請求項１１８】
ＬＥＤバックライトを前記フラットパネル表示装置に準備するステップと、
前記フラットパネル表示装置上に表示されている前記画像の輝度を調節するステップとをさらに含む請求項８７に記載の方法。
【請求項１１９】
前記表示装置上に前記画像を表示するステップは、前記画像をＲＧＢフォーマットで表示することを含む請求項８７に記載の方法。
【請求項１２０】
前記表示装置中で、前記表示装置のバックライトと前記表示装置の表示セクションとの間に色フィルタを準備するステップをさらに含む請求項１１８または１１９に記載の方法。
【請求項１２１】
前記表示装置と前記フィルム記録装置のフィルムとの間に色フィルタ・ホイールを準備するステップと、
前記画像を白黒フォーマットで表示するステップと、
前記色フィルタ・ホイールを調節して前記各画像をＲＧＢまたはＣＭＹフォーマットで記録するステップとをさらに含む請求項８７に記載の方法。
【請求項１２２】
前記色フィルタ・ホイールは前記フィルム記録装置のレンズと前記フィルム記録装置中のフィルムとの間に提供される請求項１２１に記載の方法。
【請求項１２３】
前記色フィルタ・ホイールは前記各表示装置の光ガイドと前記各表示セクションとの間にそれぞれ提供される請求項１２０に記載の方法。
【請求項１２４】
カメラと、
前記カメラに結合された表示装置とを備えるディジタル・フィルム・レコーダであって、前記表示装置は前記カメラの開口上に直接配置され、それにより前記表示装置上に表示された画像を前記カメラのフィルムに直接記録することができるディジタル・フィルム・レコーダ。
【請求項１２５】
前記表示装置はシリコン結晶反射表示装置を備える請求項１２４に記載のディジタル・フィルム・レコーダ。
【請求項１２６】
前記表示装置は１６：９ワイドスクリーン・アスペクト比で０．７８インチ（１．９８１２ｃｍ）対角線未満の寸法を有する請求項１２４または１２５に記載のディジタル・フィルム・レコーダ。
【請求項１２７】
前記カメラは１６、３５、または７０ｍｍカメラである請求項１２４に記載のディジタル・フィルム・レコーダ。
【請求項１２８】
ＲＧＢまたはＣＭＹフォーマットを有するフィルタ・ホイールをさらに備え、前記フィルタ・ホイールは、前記表示装置と前記フィルムとの間に配置され、前記表示装置上に表示された前記画像をＲＧＢまたはＣＭＹフォーマットの別々の色で記録できるように回転可能である請求項１２４または１２５に記載のディジタル・フィルム・レコーダ。
【請求項１２９】
前記フィルタ・ホイールを位置決めする、前記フィルタ・ホイールに結合されたナノモータと、前記ナノモータを制御するコントローラとをさらに備える請求項１２８に記載のディジタル・フィルム・レコーダ。
【請求項１３０】
前記フィルタ・ホイールに結合され、前記フィルタ・ホイールを位置決めすることによって前記フィルタ・ホイールを制御するように構成されたフィルタ・ホイール調節ユニットと、
前記フィルム記録装置と前記フィルタ・ホイール調節ユニットに結合され、前記表示装置上に表示されている画像が別々の色で記録されるよう前記フィルタ・ホイールを位置決めするように構成されたとともに、前記フィルタ・ホイールが露出のために単一の画像に対して完全に位置決めされた後にのみフィルムを進めるよう前記フィルム記録装置を制御するように構成された制御ユニットとをさらに備える請求項１２８に記載のディジタル・フィルム・レコーダ。
【請求項１３１】
前記制御ユニットはさらに、前記表示装置に結合され、前記フラットパネル表示装置上に表示されている前記画像を制御するように構成された請求項１２４または１２５に記載のディジタル・フィルム・レコーダ。
【請求項１３２】
前記制御ユニットは、前記画像をＲＧＢまたはＣＭＹフォーマットの別々の色で表示するように構成されたとともに、ＲＧＢまたはＣＭＹフォーマットによる前記画像の各画像ごとに露出を完了するよう前記フィルム記録装置中のフィルム送りを制御するように構成された請求項１３１に記載のディジタル・フィルム・レコーダ。
【請求項１３３】
前記制御ユニットに結合されたビデオ・ソースをさらに備え、前記ビデオ・ソースは、記憶済みビデオ・データからまたはビデオ・ストリームからビデオ画像を提供し、前記制御ユニットは、前記ビデオ画像を停止して、前記ディジタル・フィルム・レコーダによって記録される静止画像にするように構成された請求項１３１に記載のディジタル・フィルム・レコーダ。
【請求項１３３】
前記制御ユニットに結合されたビデオ・ソースをさらに備え、前記ビデオ・ソースは、記憶済みビデオ・データからまたはビデオ・ストリームからビデオ画像を提供し、前記制御ユニットは、前記ビデオ画像を停止して、前記フラットパネルＬＣＤ上に表示される静止画像にするように構成された請求項１５に記載のディジタル・フィルム・レコーダ。
【請求項１３４】
前記制御ユニットに結合されたビデオ・ソースをさらに備え、前記ビデオ・ソースは、記憶済みビデオ・データからまたはビデオ・ストリームからビデオ画像を提供し、前記制御ユニットは、前記ビデオ画像を停止して、前記各表示装置上に表示される静止画像にするように構成された請求項３９に記載のディジタル・フィルム・レコーダ。
【請求項１３５】
前記制御手段に結合されたビデオ・ソースをさらに備え、前記ビデオ・ソースは、記憶済みビデオ・データからまたはビデオ・ストリームからビデオ画像を提供し、前記制御手段はまた、前記ビデオ画像を停止して、前記各表示手段上に表示される静止画像にするものである請求項７９に記載のディジタル・フィルム・レコーダ。
【発明の詳細な説明】
【関連出願】
【０００１】
（関連出願の相互参照）
本発明は、２００２年４月２５日に出願された「Ｆｌａｔ  Ｐａｎｅｌ  ＬＣＤ  Ｆｉｌｍ  Ｒｅｃｏｒｄｅｒ」という名称の米国仮出願第６０／３７５００５号に対する優先権を主張するものであり、この仮出願は２００３年３月２０日出願の実用特許出願第１０／３９２３９９号であり、これらの内容を参照により本明細書に組み込む。
【技術分野】
【０００２】
本発明は、フィルム記録とビデオ転写装置に関する。より詳細には、本発明は、ディジタル画像をフラットパネル表示装置からフィルムに記録するためのシステムと方法に関する。
【背景技術】
【０００３】
この四半世紀、コンピュータ・アニメーションの分野では進歩があった。コンピュータ・アニメーションを使用して高品質と現実感が達成可能なため、この１０年、フィルム製作におけるコンピュータ・アニメーションの人気と普及が次第に増大している。コンピュータ・アニメーション・ツールを使用して、何十年にもわたって特殊効果が達成されてきた。フィルムの中には、ディジタル・マスタリングされ、後でフィルムに記録されるものもある。またフィルムの中には、ディジタル・ビデオを元としてフィルムに転写されるものもある。
【０００４】
ディジタル画像をフィルムに転写するためのシステムと方法はよく知られている。従来、レーザ・フィルム記録装置が、レーザを移動鏡とともに使用して、ディジタル画像の各ピクセルをフィルム・フレーム上に「露出」する。このような装置は著しく高精細な画像を非常に正確にフィルムに記録することができるが、製造と保守が非常に高価である。さらに、レーザ記録装置は、単一のフィルム・フレームを記録するのに比較的長い時間がかかる。長編フィルムは数時間の長さである場合があり、何十万個ものフレームを含むことがある。この結果、レーザ・フィルム記録装置を使用すると、１つの長編をフィルムに記録し終えるのに何数週もかかる可能性がある。
【０００５】
また、電子ビーム・レコーダも使用されるが、これらの装置もレーザ・レコーダと同様に遅く高価であり、白黒フィルムに限られる。
【発明の開示】
【発明が解決しようとする課題】
【０００６】
したがって、ディジタル画像をフィルムに記録するための新しい改良型のシステムと方法が必要とされている。
【０００７】
このような新しい改良型のシステムと方法は、好ましくは製造と保守が安価であるべきであり、記録された画像の品質を低下させずに、ディジタル画像をフィルムに記録できる速度を向上させるものであるべきである。
【課題を解決するための手段】
【０００８】
本発明の一実施態様により、ディジタル・フィルム・レコーダが提供される。このディジタル・フィルム・レコーダは、フィルム記録装置と、フラットパネル表示装置と、トラックとを備える。フィルム記録装置は記録入力を有する。トラックが、フィルム記録装置とフラットパネル表示装置とに結合され、フィルム記録装置が表示画像を記録媒体に記録できるように、フラットパネル表示装置を記録入力に整合させる。
【０００９】
本発明の別の実施態様により、画像をフィルムに記録する方法が提供される。この方法は、フラットパネル表示装置とフィルム記録装置を提供するステップと、フラットパネル表示装置の表示領域をフィルム記録装置の記録入力に整合させるステップと、画像を所定時間にわたってフラットパネル表示装置上に表示するステップと、フィルム記録装置のフィルム・フレームを指定時間にわたって画像に露出するステップとを含む。
【００１０】
本発明の別の実施態様により、ディジタル・フィルム・レコーダが提供される。このディジタル・フィルム・レコーダは、フィルム記録装置と、複数の表示装置と、ビーム・スプリッタと、トラックとを備える。フィルム記録装置は記録入力を有する。複数の表示装置はそれぞれ、フラットパネル表示装置を有する。トラックは、フィルム記録装置と、複数の表示装置と、ビーム・スプリッタとに結合される。トラックは、複数のフラットパネル表示装置のそれぞれをビーム・スプリッタに整合させ、複数のフラットパネル表示装置のそれぞれに表示された画像を、フィルム記録装置によって記録媒体にフルカラーで記録される単一の画像に統合する。
【００１１】
拡張として、ブロードバンド・フィルタ、レンズ内部に搭載されたフィルタ、またはレンズ外部のフィルタなど、内部の色分解フィルタ（例えば、赤−緑−青すなわち「ＲＧＢ」）を使用して各フラットパネル表示装置を実現することを含めることができる。フィルタを別々にまたは同時に使用してカラー記録を達成することができることは理解されるであろう。
【００１２】
本発明の別の実施態様により、画像をフィルムに記録する方法が提供される。この方法は、３つのフラットパネル表示装置と、ビーム・スプリッタと、フィルム記録装置とを提供するステップを含む。各フラットパネル表示装置の表示領域をビーム・スプリッタに整合させる。各フラットパネル表示装置の結合画像を有するビーム・スプリッタの出力を、フィルム記録装置の記録入力に整合させる。各フラットパネル表示装置上に画像を所定時間にわたって表示する。この時間にわたってビーム・スプリッタの結合画像出力にフィルム・フレームを露出する。
【００１３】
本発明の一実施態様によれば、各フラットパネル表示装置を複数の異なる構成で背面照明することができる。すなわち、従来の背面照明、修正型のランプ・ハウス、ＬＥＤ背面照明、ストロボスコープ背面照明などである。このような背面照明はまた、光ガイドまたは光ファイバ構成を介して表示パネルに提供することもできる。
【００１４】
各画像は、ストリーミング・ビデオや記憶済みビデオ・データなどのビデオ・データから得ることができる。所望の記録レートを達成するために、ビデオ・データを静止画像に停止または区分して記録してからデータを進めるよう、コントローラを構成することができる。
【００１５】
本発明の別の実施態様によれば、フィルム記録装置は、カメラ上またはカメラ内に配置された小型表示装置を備えることができる。小型表示装置は、フィルムに接触させるか、ほぼ接触させることができる。したがって、この表示装置をカメラ開口上に直接に配置することができ、外部表示装置は必要ない。
【発明を実施するための最良の形態】
【００１６】
本発明の目的と特徴は、以下の記述と添付の図面を参照すれば、より容易に理解されるであろう。
【００１７】
図１Ａ、１Ｂにディジタル・フィルム・レコーダ・システムを示す。図１Ａを参照すると、システム１００は、フィルム記録装置１０２、フラットパネル表示装置１０４、トラック１１２、中央処理装置（ＣＰＵ）１０６を含む。トラック１１２は、Ｚ方向に延び、フィルム記録装置１０２と表示装置１０４をトラック１１２に取り付けるためのレールやロッドなどの支持部材を備えている。装置１０２、１０４は、例えば可動プラットフォームなどを介して摺動可能にトラックに取り付けてもよく、あるいは既知の装置または方法によって永久的にトラックに固定してもよい。装置１０２と１０４は調節可能に取り付けることが好ましい。
【００１８】
フィルム記録装置１０２は、１６ミリメートル、３５ミリメートル、または７０ミリメートルの映画カメラなど、任意の従来型カメラとすることができ、可動プラットフォーム１２２上に搭載することができる。可動プラットフォーム１２２は、ホイール１２２ａなどによって電動化してトラック１１２に取り付けることができる。可動プラットフォームは、ＣＰＵ１０６などの制御ユニットまたはその他の装置によって、電動化し、制御することができる。したがって、表示装置１０４の表示領域から装置１０２のレンズまでの距離Ｄとピクチャ・アスペクト比は、可動プラットフォーム１２２をトラックに沿っていずれかの方向に摺動させることによって調節することができる。
【００１９】
フィルム記録装置１０２として使用されるカメラは、自動焦点式または手動焦点式カメラとすることができ、その焦点距離、開口サイズ、その他の特性を調節するための調節ユニット（図示せず）も備えることができる。したがって、フィルム記録装置１０２の調節ユニットはＣＰＵ１０６に結合させることができ、ＣＰＵ１０６は、カメラの任意の特性をリモートで調節することができ、カメラ・モータを制御してフィルムを進めることができる。
【００２０】
表示装置１０４は、薄膜技術フラットパネル液晶表示装置（ＬＣＤ）とすることができ、ＣＰＵ１０６に結合させることができる。ＣＰＵ１０６は、表示装置１０４にディジタル画像を提供するように構成することができる。例えば、解像度４０００×２５００ピクセル解像度の２３インチ（５８．４２ｃｍ）薄膜トランジスタ（ＴＦＴ）アクティブ・マトリックス液晶表示装置が、ＩＤ  Ｔｅｃｈ  Ｃｏｒｐ（商標）によって製造されており、これを従来型のパーソナル・コンピュータ・システムに結合することができる。装置１０４には、４０００×２５００ピクセルＯＬＥＤパネルなど、アクティブ・マトリックス有機発光ダイオード（ＯＬＥＤ）パネルを含めることもできる。
【００２１】
表示装置のサイズ、表示装置の解像度、表示装置の輝度、表示装置の表示領域と記録装置のレンズとの間の距離を変更することによって、多くの所望の効果を達成することができることは、当業者には理解されるであろう。記録装置のカメラ特性も、所望の任意の効果を達成するように変更することができる。
【００２２】
例えば、ディザリング技法を用いて、フィルムに記録される表示の色を向上させることができる。表示装置は生み出せる色の数が限られている。よりよい範囲の色を記録するために、空間ディザリングを用いて、複数のピクセルが空間的に区別不可能だが等しくフィルム上の色に寄与することができるような状況を生み出すことができる。こうするには、フィルム／カメラが再生できるよりも高いピクセル密度を有する表示装置を採用すればよい。あるいは、この状況は、画像がピクセルに関して表示装置よりも小さく、相応に拡大される場合にも生み出すことができる。表示装置に利用可能な２つの色の間にある（したがって通常では生み出すことが不可能な）色が望まれる場合は、表示装置の近隣ピクセルに、可能な各色が割り当てられる。好ましい実施形態では、２つ（またはそれ以上）の色のうちのどれがどのピクセルに割り当てられるかの決定はランダムであり、所望の色に最も近い色によって重み付けされる。フィルムが統合装置として使用される。
【００２３】
フィルムに対する時間ディザリングと呼ばれる第２の手法を使用することもできる。この方法は、フィルムに何度も露出させて、装置が通常なら表示できない色を達成するものである。露出ごとに、異なる画像または画像の一部が表示装置上にある場合がある。表示装置に利用不可能な色を達成するには、対象となる色よりも小さい値と大きい値の両方の利用可能な色でフィルムを何回か露出すればよい。フィルムがすべての露出を統合するので、フィルム上の最終結果は、表示装置によって再現することのできない色となる。
【００２４】
最高品質のＴＦＴ  ＬＣＤであっても完全に平面ではない場合があるので、表示装置の背部に精密調節装置１１４を取り付けて、その平面度を調節することができ、かつ／またはこれを使用して表示装置をトラック１１２に取り付けることができる。例えば、ＸＹＺジンバルを表示装置の背部に取り付けて、これを使用して表示装置をトラック１１２上に搭載することができる。好ましくは、非常に細かい微調整機能を有するＸＹＺジンバルを使用して、ＬＣＤの表示領域を記録装置１０２のレンズに向けるべきである。ジンバルは、ＬＣＤの平面度を高めるような形で表示装置の背部に搭載することができる。その他の道具を使用してパネルの平面度を測定することもできることは、当業者なら容易に理解するであろう。さらに、ディザリングを用いて、大きい表示パネル上で完璧な効果を達成することもできる。
【００２５】
記録装置１０２のフィルム面に対する表示装置１０４の合焦は、ＬＣＤフラットパネルの視野領域にテスト・パターンを投影することによって達成することができ、レンズの焦点距離を相応に調節することができる。画像のサイズと解像度は、表示装置１０４をトラック１１２に沿ってフィルム記録装置１０２に対してさらに近づけるか遠ざけることによって調節することができる。表示装置１０４のサイズを調節することもできる。
【００２６】
統合コントローラ（例えばＣＰＵ１０６）を使用して、表示装置１０４上に表示されているディジタル画像をモニタし制御することができ、フィルム記録装置１０２に取り付けられた調節機構を制御するなどして、表示装置１０４と記録装置１０２との間の距離を調節することができる。例えば、記録装置１０２と表示装置１０４との間の距離Ｄを変更することによって、かつ／または表示装置１０４上に表示されている画像の表示領域サイズ（画像解像度）を変更することによって、画像の解像度を変更することができる。したがって、適切なソフトウェアまたはＣＰＵ１０６を実行して、述べた機能を達成することができる。
【００２７】
図１Ｂは、本発明の一実施形態によるシステム１００のブロック図である。システム１００は、フィルム記録装置１０２、表示装置１０４、コントローラ１０６、フィルム・レコーダ・装置調節ユニット１０８、記憶装置１１０（例えばデータ・ウェアハウスやディスク・ファームなど）を含むことができる。これらの装置は、図１Ａに関して上述したように構成されたものとすることができる。表示装置１０４は、コントローラ１０６とフィルム・レコーダ調節ユニット１０８とに結合されている。コントローラ１０６は記憶装置１１０と結合されている。フィルム・レコーダ調節ユニット１０８は、フィルム・レコーダ装置１０２と結合されており、フィルム記録装置１０２と表示装置１０４との間の距離Ｄと、フィルム記録装置１０２の焦点距離や焦点などのカメラ特性とを調節するように構成されている。コントローラ１０６はＣＰＵとすることができ、記憶装置１１０に記憶されている画像を表示装置１０４上に表示するのを制御し、フィルム・レコーダ調節ユニット１０８を介してフィルム記録装置１０２を調整と制御するように構成されている。したがって、フィルム・レコーダ調節ユニット１０８はアクチュエータとモータを備えるのがよく、アクチュエータとモータは、フィルム記録装置１０２の一部であってもそうでなくてもよく、フィルム送りやシャッタ開閉などを制御することもできる。
【００２８】
所望の輝度と色域出力を達成するために、システム１００を、ディジタル画像をいくつかのフォーマットでフィルムに記録するように構成することができる。第１のフォーマットでは、画像は表示装置上にカラー表示され、従来のカラー・フィルムに記録される。所望の色域出力を達成するために、各ＬＣＤ表示装置の内部の色フィルタを従来構成で使用することができる。別法として、またはこれとともに、ＬＥＤ背面照明や外部フィルタリングされる背面照明などによって、各表示にカラー背面照明を追加することもできる。
【００２９】
コントローラ１０６は、ＬＣＤ表示装置１０４上に画像をＲＧＢ（赤−緑−青）またはＣＭＹ（シアン−マゼンタ−イエロー）フォーマットでレンダリングするようにプログラムすることができる。したがって、コントローラ１０６は、別々の特定の色波長で表示装置１０４上に画像を投影するように構成することができる。あるいは、色フィルタを白黒表示装置とともに利用することもできる（この文書では以下、色分解フィルタを含む構成について言及するときは白黒表示装置がともに使用されるものとすることに留意されたい）。フィルタ・ホイール１２０を、表示装置１０４（白黒表示装置）と記録装置１０２のフィルムのレンズとの間、レンズとフィルム・ゲート（図６Ａと６Ｂ参照）との間、バックライトと表示装置（例えば光ガイドの位置）との間に組み込むことができる。フィルタを制御して、画像の色を調節することができる。投影される色はそれぞれ異なる露出時間を必要とする場合があり、したがって、ディジタル画像をＲＧＢまたはＣＭＹフォーマットでフィルムに記録するとき、コントローラ１０６は、画像を各色で所望の時間量にわたって表示してディジタル画像を記録してからフィルムを進めるように構成される。白黒表示装置を使用すると、よりよいコントラスト比とより広い色域を達成することができる。１フレームずつ連続的に露出を計算するように、ＬＣＤ表示装置１０４のオン−オフ状態を構成することができる。各セルを独立して埋め、ＲＧＢまたはＣＭＹ分解フィルタを使用することによって、白黒データから露出を行うことができる。
【００３０】
先に言及したように、ＬＣＤ表示装置１０４の背面照明を調節して、表示装置１０４の全色域出力を増大させることができる。本発明によって多くの異なる背面照明ユニットが企図され、これらを各表示装置１０４とコントローラ１０６とともに含めるか、またはそれらに結合することができ、表示装置の輝度と周波数を調節するように構成することができる。
【００３１】
一構成では、ＬＥＤランプ・ハウスを使用して背面照明を制御することができる。例えば、図９に示すように、複数のＬＥＤランプ・ハウス９０２を組み込むことができ、それぞれは１つの赤色ＬＥＤと２つの緑色ＬＥＤと１つの青色ＬＥＤを備えるか、または複数の白色ＬＥＤを備える。各ＬＥＤハウス９０２からの入力を、光ファイバ・ケーブル９０４と光ガイド９０６を介して表示パネル９１０に供給することができる。図９では、光ファイバ・ケーブル９０４が各ランプ・ハウス９０２を光ガイド９０６に接続しており、２つの光ガイド９０６が配置され、そのうちの１つは表示パネル９１０の上部にあり、もう１つは表示パネル９１０の下部にある。２つまたは４つの光ガイドを使用してよく、また表示パネルのどんな対向面に配置してもよいことは、当業者なら理解するであろう。同様に、ガイド９０６は、表示パネル９１０に近接または接触する光ガイド９１１のどちら側に配置してもよい。
【００３２】
表示装置は、赤については６５０ｎｍ、緑については５５０ｎｍ、青については４５０ｎｍの波長の光を生み出すように構成することが好ましい。あるいは、表示装置は、赤については６３０ｎｍ、緑については５３０ｎｍ、青については４４５ｎｍの波長の光を生み出すように構成してもよい。ピーク波長はＣＭＹでもそれぞれ同じであることが好ましい。
【００３３】
所望の光波長を生み出すには、フィルタをパネルに内蔵するか、パネル背部のランプ・ハウスまたは光ボックスに修正を加えるか、バンドパス・フィルタを装置に追加して、ピーク波長を設定すればよい（例えばワイドバンドまたはブロードバンド・ノッチ・フィルタを記録カメラ給送機構のレンズの前部に組み込むことができる）。
【００３４】
さらに、直接ＬＥＤ背面照明を実施することもできる。より効率的かつ高品質な画像転写を達成するためにワット数を上げて輝度をさらに高めることができ、冷却システム（空冷および／または液冷）を追加して、背面照明からくる追加の熱を補償することができる。
【００３５】
あるいは、冷陰極をキセノン・ストロボスコープ要素で置き換えることもできる。例示的なストロボスコープ・装置が、「ＭＥＴＨＯＤ  ＡＮＤ  ＡＰＰＡＲＡＴＵＳ  ＦＯＲ  ＤＩＧＩＴＩＺＩＮＧ  ＦＩＬＭＳ  ＵＳＩＮＧ  Ａ  ＳＴＲＯＢＯＳＣＯＰＩＣ  ＳＣＡＮＮＩＮＧ  ＳＹＳＴＥＭ」という名称の米国特許第５７７１１０９号（’１０９特許）に記載されており、この内容を参照により本明細書に組み込む。’１０９特許には、フィルムを記録するのではなくディジタル化するように構成された新規な装置が記載されている。したがってこの装置は、本発明に適用するためには再構成しなければならない。
【００３６】
ＴＦＴ  ＬＣＤ照明は、限られた露出範囲しかもたらさず、そのため全フレーム記録時間を制限する。したがって、ストロボスコープ・ランプ・ハウスの使用を組み込んで、露出時間を短縮してより速い記録時間を実現ことができる。
【００３７】
図７Ａと７Ｂに、フィルム記録において適用するためのストロボスコープ背面照明要素付きで構成されたＬＣＤ表示装置の２つの変形を示す。ＬＣＤ表示装置に対するストロボスコープ適合を一実施形態でシリンダ７０２ａ、７０２ｂとして示す。シリンダ７０２ａ、７０２ｂの内部表面には約９５％〜９９％の反射性白色または金色コーティングがなされており、これらのシリンダはまた、通常のＴＦＴ  ＬＣＤパネル７００の端部７０１ａ、７０１ｂに合わせたサイズの開口７０５ａ、７０５ｂを有する。シリンダ７０２ａ、７０２ｂの各端部には、紫外線（ＵＶ）フィルタリングされる１〜４ジュールのキセノン・ストロボ・ランプ７０４がシリンダ１つにつき２つあり、パネル１つにつき２つまたは４つのストロボがある。
【００３８】
好ましい実施形態では、照明シリンダはＬＣＤパネル７００の上部と下部（または左側と右側）に配置され、アクティブ・カラーＬＣＤパネル７００の表面に対する光のランバート分布を可能にする。光パイプからの距離は、ＬＣＤパネル７００の縁部から３〜６ｍｍに設定されることが好ましい。ストロボスコープ・ランプ・ハウスは、蛍光よりも多くの光子パワーを生み出し、露出時間の短縮を可能にし、したがってシステムのフィルム・スループットを向上させる。図７Ａには、シリンダ７０２ａ、７０２ｂの位置を固定可能に保持するための例示的なホルダ７１０も示されている。
【００３９】
前述のように、表示装置ごとの各照明構成により、様々な方法で色を提供することができる。すなわち、バックライトと表示装置との間、または表示装置とフィルム・レコーダのレンズとの間、またはフィルムとフィルム・レコーダのレンズとの間に配置することのできる色フィルタを介して、色を提供することができる。色は、ＬＣＤ表示装置自体によって、かつ／またはディジタル画像の制御を介して提供することができる。色はＬＥＤ背面照明を介して提供することができる。これらの任意の組合せによって色を提供して、所望の色域出力と輝度の露出を達成することができる。
【００４０】
図７Ｂに、ＬＣＤ表示装置に対するストロボスコープ適用例の第２の実施形態を示す。図７Ｂに示すように、コンポーネントと構成は図７Ａに示したのと同様だが、この変形では、シリンダ７０２ａ、７０２ｂそれぞれの開口７０５ａ、７０５ｂは、既存の光パイプ／ガイド７２０に合わせたサイズである。
【００４１】
図７Ｃ〜７Ｅに、フィルム記録で適用される場合のストロボスコープ背面照明要素によって構成されたＬＣＤ表示装置の、追加の２つの実施形態の様々な図を示す。図７Ｃには、統合光ボックスの第１の実施形態７１０を提示する。これは例えば、図７Ａと７ＢのＬＣＤパネル７００とともに、それぞれシリンダ７０２ａ、７０２ｂの構成の代わりまたはシリンダ７０２ａ、７０２ｂ、光ガイド７２０の構成の代わりに使用することができる。この実施形態では、１つまたは複数のプローブ開口７１１が、図７Ａと７Ｂに示したストロボ・ランプ７０４などのストロボ・ランプを受け取るように構成されている。
【００４２】
同様に、図７Ｄと７Ｅには、統合光ボックスの第２の実施形態７１５の側面図と斜視図を示す。この実施形態の一変形では、図７Ｄと７Ｅに示すように、ＬＣＤパネル７００はフレーム７１６内に収納されている。前置パン７１８が、ＬＣＤパネル７００と反射器パン７１９との間に挟み込めるように位置する。反射器パン７１９は、図７Ａと７Ｂに示したストロボ・ランプ７０４などのストロボ・ランプを受け取るように構成された１つまたは複数のプローブ開口７２０を備える。
【００４３】
図７Ｆは、図７Ｂの実施形態で使用するための、角柱状端部７０８を有する光パイプ／ガイドの一実施形態の端面図である。
【００４４】
再び図１Ｂを参照するが、コントローラ１０６を、フィルムの進行と調和して、ＬＣＤ装置１０４上に表示された画像を制御するように構成させることができ、それにより、複数の画像を単一のフィルム・フレーム上に表示できるようにして、露出されたフレームの効果の様々な形態（例えば露出過多、ぼやけ、色、輝度など）を制御することができる。コントローラ１０６は、表示装置および／またはフィルム・レコーダを調節することによって解像度を制御するようにも構成されている。フィルムの露出は、画像表示時間を制御することによって実施することもでき（時間変調システム）、シャッタを制御することによって実施することもできる（明暗度制御システム）。
【００４５】
図２に、複数フラットパネル表示構成を利用するディジタル・フィルム・レコーダを示す。この実施形態で使用されるコンポーネントは、図１Ａ〜１Ｂに関して上述したものと同様とすることができる。ただし、画像は３つの表示装置と１つのビーム・スプリッタを利用して記録される。したがって、各表示装置をＲＧＢまたはＣＭＹ構成に分けることができ、かつ／または、それぞれ同じ前述の構成を利用するものとすることができる。したがって、ビーム・スプリッタ２０２を利用して、記録すべき画像が結合され、各表示装置１０４ａ〜１０４ｃは、記録装置１０２のレンズにおいて結合画像が合焦するように配向される。
【００４６】
ＲＧＢまたはＣＭＹフォーマットを達成するために、前述のように白黒表示装置を色フィルタとともに利用することができる。さらに、図１Ａ〜１Ｂに関して上述したように、コントローラまたはＣＰＵ１０６を記録装置１０２と表示装置１０４ａ〜１０４ｃに結合することができ、前述のように同じ効果を達成することができる。撮像を促進するために、バックライト制御を用いて、またはディジタルに（例えばコントローラ１０６によって）、各表示装置を連続的に動作させて露出時間を短縮する。距離Ｄと、各ＬＣＤの背面照明を含めたカメラまたはビデオ表示特性とを調節することによって、多くのアスペクト比と露出特性、ならびにフォーマットを達成することができることは、当業者なら容易に理解するであろう。
【００４７】
色フィルタがレンズとフィルム面との間に配置されているとき、ナノモータ制御システムを実装してフィルタを適切な位置に動かすことができる。図６Ａと６Ｂに例示的なナノ装置の詳細図を示し、図６Ｃにカメラ・レンズに対するナノ装置の位置決めの例を示す。図６Ａと６Ｂに示すように、ナノフィルタ・リング６０１が複数のナノモータ６０２ｒ、６０２ｇ、６０２ｂを備え、それぞれＲＧＢ（またはＣＭＹ）フィルタ６０４ｒ、６０４ｇ、６０４ｂの位置を制御する。各ナノモータ６０２ｒ、６０２ｇ、６０２ｂは、アームを駆動するためのピボットとスプリングを有する線形装置であり、アームの端部にフィルタ６０４ｒ、６０４ｇ、６０４ｂが搭載されて旗状の構成をなしている。旋回点がモータ・アームから出ており、小型ケーブルが付属する。ケーブルは、ナノモータの線形運動によって引っ張られるか押される。スプリングが、アーム端部のフィルタ６０４ｒ、６０４ｇ、６０４ｂの戻りモードのための張力を提供する。好ましい一実施形態では、フィルタ６０４ｒ、６０４ｇ、６０４ｂは、選択的にフィルタ・オン位置に引っ張られる。フィルタ６０４ｂが開口１０２ａの上に引っ張られているのを示す図６Ｂを参照されたい。装置を様々なカメラ・レンズ・インタフェースに正しく合わせるためにナノ装置の寸法と構成を変更できることは、ナノサイエンスの当業者なら容易に理解するであろう。
【００４８】
図６Ｃに、標準的なタレット６００、レンズ１０２ｂ、開口１０２ａに対する、ナノフィルタ・リング６０１の位置決めを示す。
【００４９】
図３は、ディジタル画像をフィルムに記録する方法のフローチャートである。この方法は、フラットパネル表示装置とフィルム記録装置を準備するステップＳ３００を含む。そのフラットパネル表示装置とフィルム記録装置は、図１Ａ、１Ｂに関して上述したように構成されたものである。次にステップＳ３０２で、フラットパネル表示装置の表示領域を、フィルム記録装置の記録入力（すなわちレンズ）に整合させる。前述のように、図１Ａに示したような構成を使用して、フラットパネル表示装置の表示領域をフィルム記録装置の記録入力に整合させるのを補助することができる。テスト・パターンをフラットパネル表示装置の表示領域に表示し、フィルム記録装置の記録入力を調節して所望の焦点を得ることができる。
【００５０】
次にステップＳ３０４で、記録すべき所望のディジタル画像を、所定時間にわたってフラットパネル表示装置上に表示する（すなわち、フィルムを正しい輝度で露出するために時間を選択することができる）。次にステップＳ３０６で、この指定時間にわたってフィルム・フレームを画像に露出する。シャッタを使用してこの特定時間にわたってフィルムを露出することができる。ステップＳ３０８で、望むように画像とフィルムを進める。前述のように、表示時間とシャッタのいずれかを制御してフィルムに露出させることができる。また、露出は、フィルタ、表示制御、または背景照明調節を用いて、白黒、ＣＭＹ、またはＲＧＢフォーマットで実施することができる。本発明の方法を実施する際、図２に示した３つの表示装置の構成を使用することもできる。
【００５１】
システム１００は、仰角撮影機または俯瞰撮影機モードで構成することもできる。図４に、例示的な俯瞰撮影機式のディジタル・フィルム記録装置を示す。俯瞰撮影機４００は、フラットパネル表示装置１０４の上に垂直に整合された記録装置１０２を備えている。表示装置１０４の表示領域の正しい焦点を得るために、フィルム記録装置１０２を調節可能に整合させることができる。表示装置１０４は、それに表示されるディジタル画像を提供するためのＣＰＵと結合されているか、またはＣＰＵを備えている。表示装置１０４のＣＰＵは、記録装置１０２とも結合されて、図１Ａ〜１Ｂに関して述べたのと同様の調節を提供することができる。俯瞰撮影機装置４００は、本発明の他の実施形態と同様の制御と調節を備えることもできることは、当業者には理解されるであろう。冷却ユニットを使用して、表示装置１８４内などの水平位置に配置されたＬＣＤフラットパネルを冷却することができる。
【００５２】
図５は、本発明の一実施形態によるディジタル・フィルム・レコーダを示す立体図である。図５には、トラック１１２と、可動プラットフォーム１２２と、それに搭載された記録装置１０２と、単一の表示装置、または単一撮影フォーマット用の３つの表示装置を搭載するための別の可動プラットフォーム１２４とが示されている。さらに、シュラウドまたは別法としてシャッタ・マウント１２５も示されており、これを記録装置１０２とともに使用して、露出をよりよく制御することができる。
【００５３】
トラック１１２は、１つまたは複数の横材支持と脚を備えることができる。一実施形態では、プラットフォーム１２４は、プラットフォーム１２４をトラック１１２に対して固定可能に保持するための１つまたは複数のタイダウン・ハンド・ボルト１２６と、トラック１１２を介したプラットフォーム１２４の移動を容易にするための１つまたは複数のホイール１２２ａまたはその他の機構とを備える。
【００５４】
本発明はまた、ビデオをフィルムに転写するように構成することもできる。図８に、ビデオ−フィルム転写装置８００のブロック図を示す。ビデオ−フィルム転写装置８００は、ビデオ・キャプチャ・ユニット８０４と結合された前述のいずれかの実施形態のフラットパネル・フィルム・レコーダ８０２を備え、ビデオ・キャプチャ・ユニット８０４はビデオ・ソース８０６からビデオ・データのストリームを受け取る。ビデオ・ソース８０６は、任意の従来型ビデオ入力（例えばディジタル・カメラ、ディスクまたはメモリなど）とすることができる。
【００５５】
ビデオ・キャプチャ・ユニット８０４は、ＮＴＳＣＤＶ、７２０ｐ、１９２０×１０８０ｉ、１９２０×１０８０ｐなど、様々な規格のビデオ・データを受け取り、記録に適した方式でフラットパネル・フィルム・レコーダ８０２のフラットパネル上に表示するためにデータを静止フレームに分割するように構成されている。したがって、ビデオ・キャプチャ・ユニット８０４は、プロセッサおよび／またはカメラを備えるか、またはＣＰＵ１０６を実装することができ、ビデオ・ストリームを受け取るための適切なビデオ・キャプチャ・ボード／カードを備えることができる。ビデオ・データは、所望の効果に基づいて記録されるように適切に細分、停止、表示され、必要ならビデオ・ストリームは中断されるか、データはバッファリングされる。ビデオ・キャプチャ・ユニット８０４は、より効率的かつ効果的な記録のために、色補正やサイズ変更などの効果を実施するように構成することができる。
【００５６】
したがって、素早く効率的かつ安価な方式でディジタル画像をフィルムに記録するためと、ビデオをフィルムに転写するための効果的な装置が提供される。この文書で述べた実施形態は本質的に例示的なものであり、本発明のその他多くの構成も可能であることは、当業者には理解されるであろう。
【００５７】
本発明の別の実施形態によれば、ＬＣＤチップなどの小型表示装置を利用する直接プリント構成を提供することができる。図８を参照すると、上の実施形態で述べたように表示装置をカメラとして使用するのではなく、システム８００は、カメラ筐体内またはカメラ表面上の、通常ならレンズが配置されることになる位置などに小型表示装置またはチップが配置されたカメラ構成を含む。表示装置８０２は、前述の実施形態と同様の表示データを受け取るものとすることができる。この記録装置８００は、表示装置８０２がフィルムと直接に接触するかまたはほぼ接触するように構成することができる。したがって、表示装置８０２は、カメラの開口８０４の上に直接配置することができる。開口８０４と露出時間を調節して、高速プリントなどの所望の効果を達成することができ、表示装置８０２の輝度などの他の変数を組み込むことができることは、当業者なら理解するであろう。
【００５８】
例示的な小型表示装置８０２は、ＳＯＮＹ  Ｓｉｌｉｃｏｎ  Ｃｒｙｓｔａｌ［Ｘ−ｔａｌ］Ｒｅｆｌｅｃｔｉｖｅ  Ｄｉｓｐｌａｙ（ＳＸＲＤ）Ｃｈｉｐ（商標）技術を利用することができる。これは、高コントラストと高解像度のピクチャ品質を提供する１９２０×１０８０ピクセルのチップ表示装置である。現在、このようなチップは、１６：９ワイドスクリーン・アスペクト比で０．７８インチ（１．９８１２ｃｍ）対角線ほどに小さくすることができる。
【００５９】
したがって、図面を参照して本発明を完全に述べた。本発明をこれらの好ましい実施形態に基づいて述べたが、本発明の趣旨と範囲を逸脱することなくいくつかの修正、変形、代替構成も明らかであることは、当業者には明白であろう。したがって、本発明の境界を決定するためには、添付の特許請求の範囲を参照されたい。
【図面の簡単な説明】
【００６０】
【図１Ａ】本発明の一実施形態によるディジタル・フィルム・レコーダを示す図である。
【図１Ｂ】本発明の一実施形態によるディジタル・フィルム・レコーダのブロック図である。
【図２】本発明の一実施形態による、３つのフラットパネル表示装置とビーム・スプリッタとを有するディジタル・フィルム・レコーダを示す図である。
【図３】本発明の一実施形態による、ディジタル画像をフィルムに記録する方法のフローチャートである。
【図４】本発明の一実施形態による俯瞰撮影機構成のディジタル・フィルム・レコーダを示す図である。
【図５】本発明の一実施形態によるディジタル・フィルム・レコーダの立体図である。
【図６】１つの白黒表示パネルと３色内部または外部フィルタ・ホイールとを備えるディジタル・フィルム・レコーダを示す図である。
【図７Ａ】本発明の一実施形態による、フィルム記録において適用するためのストロボスコープ背面照明要素付きで構成されたＬＣＤ表示装置の様々な実施形態と特徴を示す図である。
【図７Ｂ】本発明の一実施形態による、フィルム記録において適用するためのストロボスコープ背面照明要素付きで構成されたＬＣＤ表示装置の様々な実施形態と特徴を示す図である。
【図７Ｃ】本発明の一実施形態による、フィルム記録において適用するためのストロボスコープ背面照明要素付きで構成されたＬＣＤ表示装置の様々な実施形態と特徴を示す図である。
【図７Ｄ】本発明の一実施形態による、フィルム記録において適用するためのストロボスコープ背面照明要素付きで構成されたＬＣＤ表示装置の様々な実施形態と特徴を示す図である。
【図７Ｅ】本発明の一実施形態による、フィルム記録において適用するためのストロボスコープ背面照明要素付きで構成されたＬＣＤ表示装置の様々な実施形態と特徴を示す図である。
【図８】本発明の一実施形態による、小型表示装置からフィルムへの直接プリントを利用するフィルム・レコーダ構成を示す図である。
【図９】本発明の一実施形態による、ＬＥＤランプ・ハウスと光ファイバ・ケーブルとを利用する別のＬＥＤパネル照明構成を示す図である。
【図１Ａ】
2005529353.tif 000003
【図１Ｂ】
2005529353.tif 000004
【図２】
2005529353.tif 000005
【図３】
2005529353.tif 000006
【図４】
2005529353.tif 000007
【図５】
2005529353.tif 000008
【図６Ａ】
2005529353.tif 000009
【図６Ｂ】
2005529353.tif 000010
【図６Ｃ】
2005529353.tif 000011
【図７Ａ】
2005529353.tif 000012
【図７Ｂ】
2005529353.tif 000013
【図７Ｃ】
2005529353.tif 000014
【図７Ｄ】
2005529353.tif 000015
【図７Ｅ】
2005529353.tif 000016
【図７Ｆ】
2005529353.tif 000017
【図８】
2005529353.tif 000018
【図９】
2005529353.tif 000019
【国際調査報告】
2005529353.tif 000020